(57)【要約】【課題】電子機器の消費電力を低減することが可能な技術を提供する。【解決手段】電子機器は、表示部と、指紋センサと、設定部とを備える。表示部は、表示モードとして、情報を表示しない第１表示モードと、情報を表示する第２表示モードとを有する。指紋センサは、ユーザの指によって触られる検出領域を有し、当該検出領域を触る当該指の指紋を検出しない第１検出モードと、当該指紋を検出する第２検出モードとを有する。設定部は、表示部の表示モードが第１表示モードであるときに、所定の条件を満たしていない場合に、指紋センサの検出モードを第２検出モードに設定し、そして、前記表示モードが前記第１表示モードであるときに、当該所定の条件を満たしている場合に、当該検出モードを第１検出モードに設定する。【選択図】図４
2018014111.tif 000002
【特許請求の範囲】
【請求項１】
電子機器であって、
表示部と、
指紋センサを含む操作ボタンと、
制御部と
を備え、
前記制御部は、
スリープモードにおいて、前記指紋センサの検出モードを、指の指紋を検出しない第１検出モードに設定し、
前記操作ボタンが押されると、前記スリープモードを解除して前記表示部にロック画面を表示するとともに前記指紋センサの検出モードを前記第１検出モードから、指の指紋を検出する第２検出モードに変更し、
前記操作ボタンが押された後の前記表示部での前記ロック画面の表示中において、指紋検出待ち状態となり、
前記指紋検出待ち状態において、前記操作ボタンが押されなくても前記指紋センサが触れられると、当該指紋センサで検出される指紋に基づいてユーザ認証を実行し、
前記ユーザ認証が成功すると、前記ロック画面以外の画面を前記表示部に表示する、電子機器。
【請求項２】
請求項１に記載の電子機器であって、 
前記制御部は、前記ユーザ認証が失敗すると、前記ロック画面以外の画面を前記表示部に表示しない、電子機器
【請求項３】
請求項２に記載の電子機器であって、 
前記制御部は、前記ユーザ認証が失敗すると、前記ロック画面の表示を維持する、電子機器。 
【請求項４】
請求項３に記載の電子機器であって、 
前記制御部は、前記ユーザ認証が失敗すると、前記ロック画面を維持して表示するとともに当該ロック画面に前記ユーザ認証に失敗した旨の通知を重ねて前記表示部に表示する、電子機器。 
【請求項５】
請求項１乃至請求項４のいずれか一つに記載の電子機器であって、 
前記操作ボタンは、電源ボタンである、電子機器。
【発明の詳細な説明】
【技術分野】
【０００１】
本発明は、電子機器に関する。
【背景技術】
【０００２】
特許文献１に記載されているように、従来から電子機器に関して様々な技術が開示されている。
【先行技術文献】
【特許文献】
【０００３】
【特許文献１】特開２０１３−２３２１９７号公報
【特許文献２】特開２００５−１５９６５６号公報
【発明の概要】
【発明が解決しようとする課題】
【０００４】
電子機器においては、その消費電力が低いことが望まれる。
【０００５】
そこで、本発明は上述の点に鑑みて成されたものであり、電子機器の消費電力を低減することが可能な技術を提供することを目的とする。
【課題を解決するための手段】
【０００６】
電子機器が開示される。一の実施の形態では、電子機器は、表示部と、指紋センサを含む操作ボタンと、制御部とを備える。制御部は、スリープモードにおいて、指紋センサの検出モードを、指の指紋を検出しない第１検出モードに設定する。制御部は、操作ボタンが押されると、スリープモードを解除して表示部にロック画面を表示するとともに指紋センサの検出モードを第１検出モードから、指の指紋を検出する第２検出モードに変更する。制御部は、操作ボタンが押された後の表示部でのロック画面の表示中において、指紋検出待ち状態となる。制御部は、指紋検出待ち状態において、操作ボタンが押されなくても指紋センサが触れられると、当該指紋センサで検出される指紋に基づいてユーザ認証を実行する。制御部は、ユーザ認証が成功すると、ロック画面以外の画面を表示部に表示する。
【発明の効果】
【０００７】
電子機器の消費電力を低減することができる。
【図面の簡単な説明】
【０００８】
【図１】電子機器の外観の一例を概略的に示す斜視図である。
【図２】電子機器の外観の一例を概略的に示す背面図である。
【図３】指紋検出領域を示す図である。
【図４】電子機器の電気的構成の一例を示す図である。
【図５】表示画面の表示の一例を示す図である。
【図６】表示画面の表示の一例を示す図である。
【図７】電子機器の動作の一例を示すフローチャートである。
【図８】電子機器の動作の一例を示すフローチャートである。
【図９】表示画面の表示の一例を示す図である。
【図１０】電子機器の動作の一例を示すフローチャートである。
【図１１】電子機器の動作の一例を示すフローチャートである。
【図１２】電子機器の動作の一例を示すフローチャートである。
【発明を実施するための形態】
【０００９】
＜電子機器の外観＞
図１は、電子機器１の外観の一例を概略的に示す斜視図である。図２は、電子機器１の外観の一例を概略的に示す背面図である。電子機器１は、例えば、スマートフォン等の携帯電話機である。電子機器１は、基地局及びサーバ等を通じて他の通信装置と通信することが可能である。
【００１０】
図１及び図２に示されるように、電子機器１は、当該電子機器１の前面１ａに位置するカバーパネル２と、当該カバーパネル２が取り付けられる機器ケース３とを備えている。カバーパネル２及び機器ケース３は、電子機器１の外装を成している。電子機器１の形状は、例えば、平面視において略長方形の板状となっている。
【００１１】
カバーパネル２には、後述する表示パネル１２１が表示する、文字、記号、図形等の各種情報が表示される表示領域（表示画面とも呼ばれる）２ａが設けられている。カバーパネル２における、表示領域２ａを取り囲む周縁部２ｂの大部分は、例えばフィルム等が貼られることによって黒色となっている。これにより、カバーパネル２の周縁部２ｂの大部分は、表示パネル１２１が表示する各種情報が表示されない非表示領域となっている。
【００１２】
表示領域２ａの裏側には、後述するタッチセンサ１３０が取り付けられている。これにより、ユーザは、表示領域２ａを指等の操作子で操作することによって、電子機器１に対して各種指示を与えることができる。
【００１３】
図１に示されるように、カバーパネル２の上側端部には、レシーバ穴１６が設けられている。さらに、カバーパネル２の上側端部には、後述する前面側撮像部１８０が有するレンズが電子機器１の外部から視認できるための前面レンズ用透明部１８が設けられている。また、カバーパネル２の下側端部にはスピーカ穴１７が設けられている。そして、電子機器１の底面１ｃ、つまり機器ケース３の底面（下側の側面）には、マイク穴１５が設けられている。
【００１４】
図２に示されるように、電子機器１の背面１ｂ、つまり機器ケース３の背面の上側端部には、後述する背面側撮像部１９０が有する撮像レンズが、電子機器１の外部から視認できるための背面レンズ用透明部１９が設けられている。
【００１５】
機器ケース３の内部には、複数の操作ボタン１４が設けられている。各操作ボタン１４は、ハードウェアボタンである。具体的には、各操作ボタン１４は押しボタンである。操作ボタンは、「操作キー」あるいは「キー」と呼ばれることがある。操作ボタン１４は、ユーザが当該操作ボタン１４を操作するときに触れる操作領域を有している。操作ボタン１４の操作領域は電子機器１の表面から露出している。ユーザは操作ボタン１４の操作領域を押すことによって、操作ボタン１４を押すことができる。
【００１６】
各操作ボタン１４には機能が割り当てられる。電子機器１は、操作ボタン１４が押されてオン状態になると、オン状態になった操作ボタン１４に割り当てられている機能を実行する。複数の操作ボタン１４には、操作ボタン１４ａ〜１４ｄが含まれている。以後、複数の操作ボタン１４をまとめて「操作ボタン群１４０」と呼ぶことがある。また、操作ボタン１４が操作されると言えば、操作ボタン１４が押されてオン状態になることを意味する。
【００１７】
操作ボタン１４ａは、例えば電源ボタンである。電源ボタンは、電子機器１において、一部の機能を停止したり、停止している状態を復帰（起動）したりするための操作ボタンである。図１及び図２に示されるように、操作ボタン１４ａは、電子機器１の右側側面１ｄ、つまり機器ケース３の右側側面に設けられている。ユーザは、操作ボタン１４ａを操作することによって、電子機器１における、一部の機能を停止させたり、停止している機能を復帰させたりすることができる。以後、操作ボタン１４ａを「電源ボタン１４ａ」と呼ぶことがある。
【００１８】
電源ボタン１４ａには、後述する指紋センサ２００の指紋検出領域２０１が設けられている。具体的には、電源ボタン１４ａの操作領域の一部は、後述する指紋センサ２００での指紋検出領域２０１となっている。図３は、指紋検出領域２０１の一例を示す図である。指紋センサ２００は、電源ボタン１４ａの操作領域１４１に含まれる指紋検出領域２０１を触るユーザの指５００の指紋を検出することが可能である。
【００１９】
なお、指紋検出領域２０１は、操作領域１４１と一致していても良い。また、操作領域１４１の形状と、指紋検出領域２０１の形状とは図３の例には限られない。以後、指紋センサ２００で検出された指紋を「検出指紋」と呼ぶことがある。また以下の説明では、操作領域１４１が指で触られることには、指紋検出領域２０１が指で触られることも含む。ユーザは、指で操作領域１４１を押すことによって、電源ボタン１４ａを押すこともできるし、指紋センサ２００に当該指の指紋を検出させることもできる。
【００２０】
操作ボタン１４ｂは、例えばバックボタンである。バックボタンは、表示領域２ａの表示を一つ前の表示に切り替えるための操作ボタンである。図１に示されるように、操作ボタン１４ｂは、電子機器１の前面の下側端部に設けられている。ユーザは、操作ボタン１４ｂを操作することによって、表示領域２ａの表示を一つ前の表示に切り替えることができる。
【００２１】
操作ボタン１４ｃは、例えばホームボタンである。ホームボタンは、表示領域２ａに、後述するホーム画面を表示させるための操作ボタンである。図１に示されるように、操作ボタン１４ｃは、電子機器１の前面の下側端部に設けられている。ユーザは、操作ボタン１４ｃを操作することによって、表示領域２ａにホーム画面を表示させることができる。以後、操作ボタン１４ｃを「ホームボタン１４ｃ」と呼ぶことがある。
【００２２】
操作ボタン１４ｄは、例えば履歴ボタンである。履歴ボタンは、電子機器１で実行されたアプリケーションの履歴を表示領域２ａに表示させるための操作ボタンである。図１に示されるように、操作ボタン１４ｄは、カバーパネル２の下側端部に設けられている。ユーザは、操作ボタン１４ｄを操作することによって、電子機器１で実行されたアプリケーションの履歴を表示領域２ａに表示させることができる。
【００２３】
なお、各操作ボタン１４の形状と、各操作ボタン１４が設けられる位置とは、図１及び図２の例に限られない。
【００２４】
＜電子機器の電気的構成＞
図４は、電子機器１の電気的構成の一例を示すブロック図である。図４に示されるように、電子機器１には、制御部１００、無線通信部１１０、表示部１２０、タッチセンサ１３０、操作ボタン群１４０、マイク１５０及びレシーバ１６０が設けられている。さらに電子機器１には、外部スピーカ１７０、前面側撮像部１８０、背面側撮像部１９０、指紋センサ２００、加速度センサ２１０、計時部２２０、歩数計測部２３０及び電池２４０が設けられている。電子機器１に設けられたこれらの構成要素のそれぞれは、機器ケース３内に収められている。
【００２５】
制御部１００は、一種のコンピュータであって、例えばＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。
【００２６】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体で構成されている。記憶部１０３には、電子機器１の動作、具体的には電子機器１が備える無線通信部１１０等の各構成要素の動作を制御するための各種プログラムが記憶されている。制御部１００の各種機能は、ＣＰＵ１０１及びＤＳＰ１０２が記憶部１０３内の各種プログラムを実行することによって実現される。
【００２７】
記憶部１０３内の各種プログラムには様々なアプリケーションプログラム（以降、単に「アプリケーション」と呼ぶことがある）が含まれている。例えば、記憶部１０３内には、音声通話及びビデオ通話を行うための通話アプリケーション、電子メールの作成、閲覧及び送受信を行うためのメールアプリケーション、ウェブサイトを表示するためのブラウザアプリケーションが記憶されている。また記憶部１０３内には、前面側撮像部１８０及び背面側撮像部１９０を用いて被写体を撮像するためのカメラアプリケーション、電子機器１においてパズルゲーム等のゲームを行うためのゲームアプリケーション、記憶部１０３に記憶されている音楽データの再生制御を行うための音楽再生制御アプリケーションなどが記憶されている。
【００２８】
なお、記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１００の全ての機能、あるいは制御部１００の一部の機能は、その機能の実現にソフトウェアを必要としないハードウェアによって実現されても構わない。
【００２９】
無線通信部１１０は、アンテナ１１１を有している。無線通信部１１０は、例えば、電子機器１とは別の携帯電話機からの信号、あるいはインターネットに接続されたウェブサーバ等の通信装置からの信号を、基地局を介してアンテナ１１１で受信することが可能である。無線通信部１１０は、アンテナ１１１での受信信号に対して増幅処理及びダウンコンバートを行って制御部１００に出力することが可能である。制御部１００は、入力される受信信号に対して復調処理等を行って、当該受信信号に含まれる音声や音楽などを示す音信号などの情報を取得することが可能である。
【００３０】
また無線通信部１１０は、制御部１００で生成された送信信号に対して、アップコンバート及び増幅処理を行って、当該処理後の送信信号をアンテナ１１１から無線送信することが可能である。アンテナ１１１からの送信信号は、例えば、基地局を通じて、電子機器１以外の携帯電話機あるいはインターネットに接続されたウェブサーバ等の通信装置で受信される。
【００３１】
表示部１２０は、表示パネル１２１及びカバーパネル２などで構成されている。表示パネル１２１は、例えば、液晶パネルあるいは有機ＥＬパネルである。表示パネル１２１は、制御部１００に制御されることによって、文字、記号、図形などの各種情報を表示することが可能である。表示パネル１２１が表示する各種情報は、カバーパネル２の表示領域２ａに表示される。
【００３２】
タッチセンサ１３０は、表示領域２ａに対する指等の操作子による操作を検出することが可能である。ユーザが指等の操作子によって表示領域２ａに対して操作を行うと、その操作に応じた電気信号がタッチセンサ１３０から制御部１００に入力される。これにより、制御部１００は、タッチセンサ１３０からの電気信号に基づいて、表示領域２ａに対して行われた操作の内容を特定して、その内容に応じた処理を行うことが可能である。
【００３３】
タッチセンサ１３０は、例えば、投影型静電容量方式のタッチパネルである。タッチパネルは、例えば、表示パネル１２１とは別体となっている。この場合、タッチパネルは、カバーパネル２の裏面に取り付けられている。そして、表示パネル１２１は、タッチパネルにおけるカバーパネル２側の面とは反対側の面に取り付けられている。つまり、表示パネル１２１は、タッチパネルを介してカバーパネル２の裏面に取り付けられている。
【００３４】
なお、タッチセンサ１３０は、表示パネル１２１とは別体に設けられるタッチパネルに限られず、いわゆるインセル型タッチパネルあるいはオンセル型タッチパネルのように、表示パネル１２１と一体になったものでも良い。この場合、タッチセンサ１３０を含む表示パネル１２１が、カバーパネル２の裏面に取り付けられる。
【００３５】
なお、ユーザは、指以外の操作子、例えば、スタイラスペンなどの静電式タッチパネル用ペンで表示領域２ａを操作することによっても、電子機器１に対して各種指示を与えることができる。
【００３６】
操作ボタン群１４０の各操作ボタン１４は、ユーザによって操作されると、操作されたことを示す操作信号を制御部１００に出力する。これにより、制御部１００は、各操作ボタン１４からの操作信号に基づいて、当該操作ボタン１４が操作されたか否かを判断することができる。制御部１００は、操作された操作ボタンに応じた処理を行うことが可能である。
【００３７】
マイク１５０は、電子機器１の外部から入力される音を電気的な音信号に変換して制御部１００に出力することが可能である。電子機器１の外部からの音は、例えば、機器ケース３の底面（下側の底面）に設けられたマイク穴１５から電子機器１の内部に取り込まれてマイク１５０に入力される。
【００３８】
外部スピーカ１７０は、例えばダイナミックスピーカである。外部スピーカ１７０は、制御部１００からの電気的な音信号を音に変換して出力することが可能である。外部スピーカ１７０から出力される音は、例えば、カバーパネル２の下側端部に設けられたスピーカ穴１７から電子機器１の外部に出力される。スピーカ穴１７から出力される音については、電子機器１から離れた場所でも聞こえるような音量となっている。
【００３９】
レシーバ１６０は、例えばダイナミックスピーカで構成されている。レシーバ１６０は、受話音を出力することが可能である。レシーバ１６０は、制御部１００からの電気的な音信号を音に変換して出力することが可能である。レシーバ１６０から出力される音は、例えば、カバーパネル２の上側端部に設けられたレシーバ穴１６から外部に出力される。レシーバ穴１６から出力される音の音量は、例えば、外部スピーカ１７０からスピーカ穴１７を介して出力される音の音量よりも小さくなっている。
【００４０】
なおレシーバ１６０に代えて、圧電振動素子が設けられてもよい。圧電振動素子は、制御部１００からの音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１６０に代えて圧電振動素子が設けられる場合には、レシーバ穴１６は不要である。
【００４１】
前面側撮像部１８０及び背面側撮像部１９０のそれぞれは、レンズ及び撮像素子などで構成されている。前面側撮像部１８０及び背面側撮像部１９０のそれぞれは、制御部１００の制御によって被写体を撮像し、撮像した被写体を示す静止画像あるいは動画像を生成して制御部１００に出力することが可能である。
【００４２】
前面側撮像部１８０が有するレンズは、カバーパネル２に設けられた前面レンズ用透明部１８から視認可能となっている。したがって、前面側撮像部１８０は、電子機器１のカバーパネル２側、つまり電子機器１の前面１ａ側に存在する被写体を撮像することが可能である。背面側撮像部１９０が有するレンズは、電子機器１の背面１ｂに設けられた背面レンズ用透明部１９から視認可能となっている。したがって、背面側撮像部１９０は、電子機器１の背面１ｂ側に存在する被写体を撮像することが可能である。
【００４３】
指紋センサ２００は、電源ボタン１４ａの操作領域１４１を触る指の指紋を検出することが可能である。具体的には、指紋センサ２００は、操作領域１４１に含まれる指紋検出領域２０１を有しており、当該指紋検出領域２０１を触る指の指紋を検出することが可能である。指紋センサ２００は、指紋の検出結果として、例えば、検出指紋を示す指紋画像を制御部１００に出力する。指紋センサ２００での指紋検出方式は、例えば静電容量方式である。なお、指紋センサ２００での指紋検出方式は、静電容量方式以外の方式、例えば光学式であっても良い。
【００４４】
加速度センサ２１０は、加速度を検出することが可能である。加速度センサ２１０は、例えば、互いに直行する３方向での加速度を検出することが可能である。加速度センサ２１０は、検出した加速度を示す加速度情報を制御部１００に出力することが可能である。これにより、制御部１００は、加速度センサからの加速度情報に基づいて、電子機器１の空間的な動きを特定することが可能である。
【００４５】
計時部２２０は、現在時刻を計時するとともに現在の日付を計時することが可能である。計時部２２０は、例えばリアルタイムクロック（ＲＴＣ）等を備えている。計時部２２０は、計時した時刻を示す時刻情報と、計時した日付を示す日付情報とを制御部１００に出力することが可能である。
【００４６】
歩数計測部２３０は、ユーザの歩数を計測することが可能である。歩数計測部２３０は、例えば加速度センサ２１０からの加速度情報に基づいて、電子機器１の空間的な動きを特定することが可能である。歩数計測部２３０は、特定した電子機器１の空間的な動きが、所定の動きである場合に、当該電子機器１を持つユーザが歩行動作を行ったと判定し、その歩数を計測することができる。
【００４７】
電池２４０は、電子機器１の電源を出力することが可能である。電池２４０は、例えば、リチウムイオン二次電池等の充電式の電池である。電池２４０は、電子機器１が備える制御部１００及び無線通信部１１０等の各種電子部品に対して電源を供給することが可能である。
【００４８】
＜電子機器の動作モードについて＞
電子機器１は、動作モードとして、電子機器１における一部の機能が停止するスリープモードと、当該スリープモードが解除された状態である通常モードとを備えている。スリープモードで動作する電子機器１において停止される機能には、表示領域２ａに画像等の各種情報を表示する表示機能が含まれる。スリープモードでは、表示パネル１２１及びタッチセンサ１３０等の、電子機器１の一部の構成が動作しない。スリープモードでは、通常モードよりも電子機器１の消費電力が低減する。制御部１００は、電子機器１の所定の構成を制御することによって、電子機器１の動作モードを設定する。
【００４９】
例えば制御部１００は、電子機器１の動作モードが通常モードである場合に、電子機器１に対して一定時間以上操作が行われなければ、電子機器１の動作モードを通常モードからスリープモードに切り替える。また、制御部１００は、電子機器１の動作モードが通常モードである場合に、電源ボタン１４ａが操作されたとき、電子機器１の動作モードを通常モードからスリープモードに切り替える。
【００５０】
一方で、制御部１００は、電子機器１の動作モードがスリープモードである場合に、電源ボタン１４ａが操作されたとき、電子機器１の動作モードをスリープモードから通常モードに切り替える。つまり、スリープモードにおいて、電源ボタン１４ａが操作されたとき、電子機器１では、通常モードからスリープモードに切り替わるときに停止された機能が復帰する。また、スリープモードにおいて、ホームボタン１４ｃが操作されたとき、スリープモードが解除されて、電子機器１の動作モードがスリープモードから通常モードに切り替わる。ホームボタン１４ｃは、電子機器１の動作モードがスリープモードである場合に、スリープモードを解除するための操作ボタンとして機能する。以後、スリープモードを解除するための操作を「スリープ解除操作」と呼ぶことがある。
【００５１】
＜表示画面に表示される画面について＞
表示部１２０は、表示パネル１２１が動作しておらず、文字、記号、図形等の各種情報を表示領域２ａに表示しない第１表示モードと、表示パネル１２１が動作しており、文字、記号、図形等の各種情報を表示領域２ａに表示する第２表示モードとを有する。電子機器１の動作モードがスリープモードである場合には、制御部１００は、表示部１２０の表示モードを第１表示モードに設定する。一方、電子機器１の動作モードが通常モードである場合には、制御部１００は、表示部１２０の表示モードを第２表示モードに設定する。
【００５２】
電子機器１の動作モードが通常モードである場合、つまり表示部１２０の表示モードが第２表示モードである場合には、様々な画面が表示領域２ａに表示される。表示部１２０の表示モードが第２表示モードである場合には、表示領域２ａには、例えば、ホーム画面及びロック画面が表示される。図５は、ホーム画面３００の一例を示す図である。図６は、ロック画面４００の一例を示す図である。
【００５３】
図５に示されるように、ホーム画面３００には、電池２４０の現在の容量を示す電池残量アイコン３０１と、計時部２２０が計時する現在の時刻３０２と、無線通信部１１０での電波の受信状況を示す受信状況アイコン（電波状況アイコンともよばれる）３０３とが示される。さらに、ホーム画面３００には、アプリケーションに対応し、対応するアプリケーションを実行するための図形（以後、「アプリケーションアイコン」と呼ぶ）３０５が示される。
【００５４】
図５の例では、９個のアプリケーションアイコン３０５が示されている。図５の例では、９個のアプリケーションアイコン３０５に対して同一の符号を付しているが、９個のアプリケーションアイコン３０５のそれぞれは、別々のアプリケーションに対応している。ユーザが複数のアプリケーションアイコン３０５のうちの一つに対して所定の操作を行うと、制御部１００は、操作されたアプリケーションアイコン３０５に対応するアプリケーションを記憶部１０３から読み出して実行する。これにより、ユーザは、アプリケーションアイコン３０５を操作することによって、操作されたアプリケーションアイコン３０５に対応するアプリケーションを電子機器１に実行させることができる。例えば、ユーザが、複数のアプリケーションアイコン３０５のうち、通話アプリケーションに対応する一つのアプリケーションアイコン３０５を操作すると、電子機器１では通話アプリケーションが実行される。またユーザが、複数のアプリケーションアイコン３０５のうち、カメラアプリケーションに対応する一つのアプリケーションアイコン３０５を操作すると、電子機器１ではカメラアプリケーションが実行される。アプリケーションアイコン３０５は、表示領域２ａに表示されるソフトウェアボタンであるともいえる。
【００５５】
アプリケーションアイコン３０５に対する操作としては、例えば、当該アプリケーションアイコン３０５に対して、ユーザが指等の操作子を近づけた後、当該操作子を遠ざける操作が考えられる。また、アプリケーションアイコン３０５に対する操作としては、例えば、当該アプリケーションアイコン３０５に対して、ユーザが指等の操作子を接触させた後、当該操作子を遠ざける操作が考えられる。これらの操作は、いわゆるタップ操作と呼ばれる。なお、このタップ操作による操作は、アプリケーションアイコン３０５に対する操作以外にも、表示領域２ａに表示される各種情報に対する操作として使用される。
【００５６】
図６に示されるように、ロック画面４００には、ホーム画面３００と同様に、電池残量アイコン３０１及び受信状況アイコン３０３が示される。またロック画面４００には、計時部２２０が計時する現在の時刻３０６及び現在の日付３０７と、現在の曜日３０８とが示される。ロック画面４００において、時刻３０６は、例えば、ホーム画面３００での時刻３０２とは異なる位置において、当該時刻３０２よりも大きく示される。
【００５７】
電子機器１の通常モードには、記憶部１０３内の複数のアプリケーションのうち、特定のアプリケーション（例えば通話アプリケーション及びカメラアプリケーション）以外のアプリケーション、あるいは記憶部１０３内のすべてのアプリケーションを、ユーザが電子機器１に実行させることができないロックモードが含まれる。電子機器１の動作モードがロックモードである場合には、ユーザは、記憶部１０３内の複数のアプリケーションのうち、特定のアプリケーション以外の各アプリケーションについて、あるいは記憶部１０３内のすべてのアプリケーションのそれぞれについて、当該アプリケーションの実行を電子機器１に指示することができない。また、ロックモードで動作する電子機器１が実行するアプリケーションにおいて、一部の機能が制限される場合がある。例えば、ロックモードで動作する電子機器１が実行する通話アプリケーションでの通話の発信機能において、特定の電話番号以外への通話の発信が制限される。
【００５８】
このように、電子機器１の動作モードがロックモードである場合には、電子機器１の機能の少なくとも一部が制限される。ロックモードは、ユーザの意図しない操作によって起こる誤動作を抑制するために用いることができる。ロック画面４００は、電子機器１の動作モードがロックモードであることを通知する画面であって、電子機器１の動作モードがロックモードであるときに、表示領域２ａに表示される。
【００５９】
電子機器１の動作モードがスリープモードである場合に、電源ボタン１４ａが操作されたときと、ホームボタン１４ｃが操作されたとき、スリープモードが解除されて、電子機器１の動作モードはロックモードとなり、表示領域２ａにロック画面４００が表示される。
【００６０】
また、電子機器１の動作モードが通常モードであって、ロックモードでない場合に、ホームボタン１４ｃが操作されると、表示領域２ａにはホーム画面３００が表示される。
【００６１】
表示領域２ａにロック画面４００が表示されている場合に、ユーザが電子機器１に対して所定の操作を行うと、電子機器１ではロックモードが解除されて、表示領域２ａの表示はロック画面４００から他の画面、例えばホーム画面３００に切り替わる。以後、通常モードにおいて、ロックモードが解除されている状態を「非ロックモード」と呼ぶ。
【００６２】
＜ユーザ認証＞
制御部１００は、指紋センサ２００での指紋の検出結果に基づいて、ユーザ認証を行うことが可能である。制御部１００は、ユーザ認証を行う認証処理部として機能する。
【００６３】
制御部１００は、例えば、電子機器１の動作モードがロックモードであるときにユーザ認証を行う。制御部１００は、電子機器１の動作モードがロックモードであるときに、ユーザ認証に成功したと判定すると、電子機器１の動作モードをロックモードから非ロックモードに切り替える。つまり、ロックモードが解除される。そして、表示領域２ａにはロック画面４００以外の表示画面（例えば、ホーム画面３００あるいはアプリケーション実行時の表示画面など）が表示される。
【００６４】
制御部１００は、ユーザ認証を行う際、まず、指紋センサ２００から指紋の検出結果として出力される指紋画像から、当該指紋画像が示す検出指紋の特徴を示す特徴点を抽出する。特徴点としては、例えば、指紋の稜線（凸部）の端点及び分岐点の位置、当該稜線の太さなどが使用される。そして、制御部１００は、抽出した特徴点と、記憶部１０３に記憶されている基準特徴点とを比較する。基準特徴点は、正規のユーザ（例えば電子機器１の所有者）の指紋を示す指紋画像から抽出された特徴点である。
【００６５】
制御部１００は、抽出した特徴点と基準特徴点とを比較した結果、両者が類似する場合には、ユーザ認証が成功であると判定する。つまり、制御部１００は、指紋センサ２００が検出した指紋を有するユーザが正規のユーザであると判定する。一方で、制御部１００は、抽出した特徴点と基準特徴点とが類似しない場合には、ユーザ認証に失敗したと判定する。つまり、制御部１００は、指紋センサ２００が検出した指紋を有するユーザが非正規のユーザであると判定する。
【００６６】
電子機器１の通常モードには、ユーザの指紋を電子機器１に登録するための指紋登録モードが含まれる。電子機器１は、非ロックモードにおいて、表示領域２ａに対して所定の操作が行われると、指紋登録モードで動作する。指紋登録モードにおいて、正規のユーザが自身の手の指を指紋検出領域２０１上に置くと、指紋センサ２００は当該指の指紋を検出し、検出指紋を示す指紋画像を出力する。制御部１００は、指紋センサ２００からの指紋画像から特徴点を抽出し、抽出した特徴点を基準特徴点として記憶部１０３に記憶する。これにより、正規のユーザの指紋の特徴を示す基準特徴点が記憶部１０３に記憶される。つまり、正規のユーザの指紋が電子機器１に登録される。
【００６７】
＜指紋センサの検出モードについて＞
指紋センサ２００は、指紋検出領域２０１を触るユーザの指の指紋を検出しない第１検出モードと、当該指紋を検出する第２検出モードとを有する。指紋センサ２００の検出モードは、制御部１００によって設定される。第１検出モードでは、第２検出モードよりも指紋センサ２００の消費電力が低減する。ユーザ認証は、指紋センサ２００の検出モードが第２検出モードであるときに行われる。
【００６８】
電子機器１では、その消費電力を低減するために、電子機器１の動作モードがスリープモードであるときに、表示領域２ａに各種情報を表示する表示機能を含む一部の機能を停止する。例えば制御部１００は、電子機器１の動作モードがスリープモードであるときに、指紋センサ２００の検出モードを第１検出モードに設定する場合がある。
【００６９】
電子機器１がスリープモードで動作しているときに、指紋センサ２００の検出モードが第１検出モードに設定される場合には、ユーザ認証を行う前に、例えば電源ボタン１４ａなどを操作してスリープモードを解除して、指紋センサ２００の検出モードを第１検出モードから第２検出モードに切り替える必要がある。この検出モードの切り替えには、例えば、１秒程度の時間を有する。このため、ユーザ認証を開始するまでに時間がかかってしまう場合がある。
【００７０】
そこで、電子機器１がスリープモードで動作している場合でも、指紋センサ２００の検出モードを第２検出モードに設定することが考えられる。この場合には、ユーザの指が指紋検出領域２０１に触れたときに当該指の指紋が検出され、ユーザ認証をすぐに開始することができる。このように、指紋センサ２００の検出モードを第１検出モードから第２検出モードに切り替える時間を必要としないことから、ユーザ認証を開始するまでの時間を短くすることができる。
【００７１】
しかしながら、電子機器１がスリープモードで動作している期間、指紋センサ２００の検出モードが第２検出モードに設定されている場合には、電子機器１の消費電力が増大する。
【００７２】
本実施の形態では、電子機器１の動作モードがスリープモードであるときに、所定の条件を満たす場合には、指紋センサ２００の検出モードが第１検出モードに設定され、所定の条件を満たさない場合には、指紋センサ２００の検出モードが第２検出モードに設定される。例えば、電子機器１の動作モードがスリープモードであるときに、ユーザ認証を行う可能性が低いと考えられるような場合には、指紋センサ２００の検出モードが第１検出モードに設定され、それ以外の場合には、指紋センサ２００の検出モードが第２検出モードに設定される。これにより、電子機器１の消費電力の低減と、ユーザ認証を開始するまでの時間の短縮とを実現することができる。
【００７３】
以下に、電子機器１の動作モードがスリープモードであるときに、制御部１００が指紋センサ２００の検出モードを設定する動作について説明する。図７は、当該動作の一例を示すフローチャートである。
【００７４】
図７に示されるように、ステップＳ１において電子機器１がスリープモードで動作する場合に、ステップＳ２において、制御部１００は、計時部２２０が計時する現在時刻が所定の時間帯に含まれるか否かの第１判定を行う。ステップＳ２において、計時部２２０が計時する現在時刻が所定の時間帯に含まれると判定される場合には、ステップＳ５が実行される。ステップＳ５において、制御部１００は、指紋センサ２００の検出モードを第１検出モードに設定する。
【００７５】
ユーザの行動パターンにおいて、電子機器１を使用しない時間帯がほぼ決まっている場合がある。例えば、午前０時から午前６時の間の時間帯では、ユーザが就寝している可能性が高く、電子機器１を使用しない可能性が高いことがある。そこで、この時間帯に電子機器１がスリープモードであるときには、ユーザ認証が行われる可能性が低いものとして、制御部１００は、指紋センサ２００の検出モードを第１検出モードに設定する。これにより、電子機器１の消費電力を低減することができる。
【００７６】
電子機器１を使用しない可能性が高い時間帯は、例えば、ユーザの操作によって、電子機器１に入力されて記憶部１０３に記憶される。なお、制御部１００は、例えば、スリープ解除操作が行われる度に、当該操作が行われた時刻を記憶部１０３に記憶しておき、当該時刻に基づいて、ユーザ認証が行われる可能性が低い時間帯を予測しても良い。
【００７７】
ステップＳ２において、計時部２２０が計時する現在時刻が所定の時間帯に含まれないと判定される場合には、ステップＳ３が実行される。ステップＳ３において、制御部１００は、電子機器１が静止中であるか否かの第２判定を行う。具体的には、制御部１００は、加速度センサ２１０が検出する加速度が所定時間の間、所定値以下である場合に、電子機器１が静止していると判定する。ステップＳ３において、電子機器１が静止中であると判定される場合には、ステップＳ５において、制御部１００は、指紋センサ２００の検出モードを第１検出モードに設定する。
【００７８】
スリープモードで動作する電子機器１が静止中である場合には、ユーザが電子機器１を使用していない可能性が高い。そこで、電子機器１の動作モードがスリープモードであるときに、電子機器１が静止していると判定される場合には、ユーザ認証が行われる可能性が低いものとして、制御部１００は、指紋センサ２００の検出モードを第１検出モードに設定する。これにより、電子機器１の消費電力を低減することができる。
【００７９】
ステップＳ３において、電子機器１が静止中でないと判定される場合には、ステップＳ４が実行される。ステップＳ４において、制御部１００は、ユーザが歩行動作中であるか否かの第３判定を行う。具体的には、制御部１００は、歩数計測部２３０がユーザの歩数を計測している場合には、ユーザが歩行動作中であると判定する。
【００８０】
ユーザが歩行動作中である場合には、ユーザが電子機器１を使用していない可能性が高い。そこで、電子機器１の動作モードがスリープモードであるときに、ユーザが歩行動作中であると判定される場合には、ユーザ認証が行われる可能性が低いものとして、制御部１００は、指紋センサ２００の検出モードを第１検出モードに設定する。これにより、電子機器１の消費電力を低減することができる。
【００８１】
なお、制御部１００は、歩数計測部２３０での計測結果に基づいて、ユーザが歩行動作中であると判定するのではなく、加速度センサ２１０が検出する加速度検出結果に基づいて電子機器１の空間的な動きを検出し、当該動きが所定の動きであると判定される場合に、ユーザが歩行動作中であると判定しても良い。
【００８２】
ステップＳ４において、ユーザが歩行動作中でないと判定される場合には、ステップＳ６が実行される。ステップＳ６において、制御部１００は、指紋センサ２００の検出モードを第２検出モードに設定する。
【００８３】
ステップＳ５が実行された後と、ステップＳ６が実行された後には、ステップＳ２が実行される。以後、電子機器１は同様に動作する。
【００８４】
このように、電子機器１の動作モードがスリープモードであるときに、図７で示したステップＳ２〜Ｓ４において否定的な判定がなされる場合、つまりユーザ認証が行われる可能性が低くないと考えられる場合には、制御部１００は、指紋センサの検出モードを第２検出モードに設定する。これにより、制御部１００は、ユーザの指が指紋検出領域２０１に触れて当該指紋が検出されたときにユーザ認証を開始することができる。
【００８５】
なお、ステップＳ２〜Ｓ４の実行順序は図７に示した順序に限られない。また、ステップＳ２が、ステップＳ３及びステップＳ４の前に実行される場合には、ステップＳ２において、計時部２２０が計時する現在時刻が所定時間帯に含まれると判定される場合には、加速度センサ２１０及び歩数計測部２３０の機能を停止しても良い。これにより、消費電力をより低減することができる。
【００８６】
また、ステップＳ２〜Ｓ４のうち少なくとも一つの処理が実行されれば良い。
【００８７】
＜指紋センサが第１検出モードである場合でのユーザ認証＞
以下に、電子機器１の動作モードがスリープであるときに、指紋センサ２００の検出モードが第１検出モードである場合での電子機器１の動作について説明する。図８は、当該動作の一例を示すフローチャートである。
【００８８】
図８に示されるように、ステップＳ１１において電子機器１の動作モードがスリープモードであって、指紋センサ２００の検出モードが第１検出モードである場合に、ステップＳ１２において、制御部１００は、スリープ解除操作、例えば電源ボタン１４ａへの操作を検出すると、ステップＳ１３においてスリープモードを解除する。
【００８９】
スリープモードが解除されると、ステップＳ１４において、制御部１００は、電子機器１の動作モードをロックモードに設定する。そして、ステップＳ１５において、表示部１２０は、表示領域２ａにロック画面を表示する。また、ステップＳ１５において、制御部１００は、指紋センサ２００の検出モードを第１検出モードから第２検出モードに切り替える。
【００９０】
指紋センサ２００の検出モードが第２検出モードになると、制御部１００は、指紋検出待ち状態となる。ステップＳ１６において、指紋センサ２００が指紋検出領域２０１を触るユーザの指の指紋を検出すると、ステップＳ１７が実行される。
【００９１】
ステップＳ１７において、制御部１００は、ステップＳ１６での検出指紋に基づいて、ユーザ認証を行う。ステップＳ１７でのユーザ認証処理が終了すると、ステップＳ１８において、制御部１００は、ユーザ認証が成功した否かを判断する。
【００９２】
ステップＳ１８において、ユーザ認証が成功したと判定されると、ステップＳ１９が実行される。ステップＳ１９において、制御部１００は、ロックモードを解除する。ロックモードが解除されると、表示部１２０は、ロック画面以外の画面、例えばホーム画面を表示する。
【００９３】
一方、ステップＳ１８において、ユーザ認証が失敗したと判定されると、ステップＳ２０が実行される。ステップＳ２０において、表示部１２０は、ユーザ認証の失敗を通知するための認証失敗通知情報をロック画面に表示する。図９は、認証失敗通知情報４１０を含むロック画面４００の一例を示す図である。図９の例では、認証失敗通知情報４１０として「ユーザ認証に失敗しました」という文字列が表示されている。
【００９４】
ステップＳ２０の後、制御部１００は、再度指紋検出待ち状態となり、ステップＳ１６が実行される。以後、電子機器１は同様に動作する。
【００９５】
このように、電子機器１の動作モードがスリープモードであって、指紋センサ２００の検出モードが第１検出モードである場合には、ユーザは、ユーザ認証を行う前に、スリープ解除操作を行って、指紋センサ２００の検出モードを第１検出モードから第２検出モードに切り替える必要がある。そのため、ユーザ認証をすぐに開始することができない。
【００９６】
＜指紋センサが第２検出モードである場合でのユーザ認証＞
次に、電子機器１の動作モードがスリープモードであるときに、指紋センサ２００の検出モードが第２検出モードである場合での電子機器１の動作について説明する。図１０は、当該動作の一例を示すフローチャートである。
【００９７】
図１０に示されるように、ステップＳ２１において電子機器１の動作モードがスリープモードであって、指紋センサ２００の検出モードが第２検出モードである場合には、制御部１００は、指紋検出待ち状態となっている。ユーザがスリープモードを解除するために電源ボタン１４ａを操作しようとして操作領域１４１に指を触れたとき、ステップＳ２２において、指紋センサ２００は、当該指の指紋を検出する。
【００９８】
指紋センサ２００が指紋を検出すると、ステップＳ２３において、制御部１００は、ステップＳ２２での検出指紋に基づいて、ユーザ認証を開始する。ここで、ユーザが電源ボタン１４ａを操作しなくても、操作領域１４１に指を触れて当該指の指紋が検出されるとユーザ認証が開始される。そしてそのユーザ認証結果は、記憶部１０３に記憶される。
【００９９】
ステップＳ２４において、制御部１００は、スリープ解除操作、例えば、電源ボタン１４ａへの操作を検出すると、ステップＳ２５においてスリープモードを解除する。
【０１００】
ステップＳ２３で開始されるユーザ認証処理が終了する前であっても、ステップＳ２４を実行することができる。この場合、ステップＳ２４及びステップＳ２５の処理が実行されている間にもユーザ認証が行われる。
【０１０１】
スリープモードが解除されると、ステップＳ２６において、制御部１００は、ステップＳ２３で開始したユーザ認証の結果に基づいて、ユーザ認証が成功したか否かを判定する。
【０１０２】
ステップＳ２６において、ユーザ認証が成功したと判定されると、ステップＳ２７が実行される。ステップＳ２７において、制御部１００は、電子機器１の動作モードを非ロックモードに設定する。ステップＳ２６においてユーザ認証が成功したと判定される場合には、電子機器１の動作モードはロックモードになることなく、スリープモードから非ロックモードに切り替わる。つまり、表示領域２ａにロック画面が表示されることなく、電子機器１の動作モードがスリープモードから非ロックモードに切り替わる。
【０１０３】
一方、ステップＳ２６において、ユーザ認証が失敗したと判定されると、ステップＳ２８において、制御部１００は、電子機器１の動作モードをロックモードに設定する。
【０１０４】
電子機器１の動作モードがロックモードに設定されると、ステップＳ２９において、表示部１２０は、ユーザ認証の失敗を通知するための認証失敗通知情報を含むロック画面を表示する。例えば、表示部１２０は、図９で示した認証失敗通知情報４１０を含むロック画面４００を表示する。
【０１０５】
ステップＳ２９の後、制御部１００は、再度指紋検出待ち状態となる。ステップＳ３０において、指紋センサ２００が指紋検出領域２０１を触るユーザの指の指紋を再度検出すると、ステップＳ３１が実行される。
【０１０６】
ステップＳ３１において、制御部１００は、ステップＳ３０での検出指紋に基づいて、再度ユーザ認証を行う。ステップＳ３１でのユーザ認証処理が終了すると、ステップＳ３２において、制御部１００は、ユーザ認証が成功した否かを判断する。
【０１０７】
ステップＳ３２において、ユーザ認証が成功したと判定されると、ステップＳ２７において、制御部１００は、電子機器１の動作モードをロックモードから非ロックモードに切り替える。
【０１０８】
一方、ステップＳ３２において、ユーザ認証が失敗したと判定されると、ステップＳ３３において、認証失敗通知情報が再度表示される。
【０１０９】
ステップＳ３３の後、制御部１００は、再度指紋検出待ち状態となり、ステップＳ３０が実行される。以後、電子機器１は同様に動作する。
【０１１０】
このように、電子機器１の動作モードがスリープモードであるときに、指紋センサ２００の検出モードが第２検出モードに設定される場合には、ユーザの指が指紋検出領域２０１に触れたときに当該指の指紋が検出され、ユーザ認証を開始することができる。よって、図８で示したフローチャートと比較して、指紋センサ２００の検出モードを第１検出モードから第２検出モードに切り替える処理を必要としないことから、ユーザ認証を開始するまでの時間を短くすることができる。
【０１１１】
また、指紋センサ２００が指紋を検出してから、スリープモードが解除されるまでの間にもユーザ認証を行うことができることから、スリープモードが解除されてから、ユーザ認証の判定を行うまでの時間を短くすることができる。
【０１１２】
また、指紋センサ２００の指紋検出領域２０１は、スリープ解除操作のための操作ボタンとして機能する電源ボタン１４ａの操作領域１４１に含まれることから、ユーザがスリープ解除操作を行うために電源ボタン１４ａの操作領域１４１に指を触れたときに当該指の指紋を検出することができる。これにより、ユーザ認証を開始するまでの時間をより短くすることができる。
【０１１３】
また、スリープ解除操作前にユーザ認証処理が完了した場合でも、スリープ解除操作が検出されるまでスリープモードが解除されないことから、誤操作によって指紋センサ２００が指紋検出動作を行って、スリープモードが解除されることを抑制することができる。また誤操作による指紋検出動作では、ユーザ認証が失敗する可能性が高いと考えられることから、誤操作によって認証失敗通知情報が表示されるのを抑制することができる。
【０１１４】
＜各種変形例＞
以下に各種変形例について説明する。
【０１１５】
＜第１変形例＞
上記の例では、ユーザ認証が失敗した場合にロック画面に認証失敗通知情報が表示されていたが、スリープモードで開始したユーザ認証が失敗した場合には、ロック画面に認証失敗通知情報を表示しなくても良い。
【０１１６】
図１１は、本変形に係る電子機器１の動作の一例を示すフローチャートである。図１１では、電子機器１の動作モードがスリープモードであって、指紋センサ２００の検出モードが第２検出モードである場合での電子機器１の動作を示している。
【０１１７】
ステップＳ４１〜Ｓ４８の処理は、図１０でのステップＳ２１〜Ｓ２８と同様であるので、繰り返しの説明は省略する。
【０１１８】
ステップＳ４６において、ユーザ認証が失敗したと判定される場合には、ステップＳ４８が実行される。ステップＳ４８において、制御部１００は、電子機器１の動作モードをロックモードに設定する。
【０１１９】
電子機器１の動作モードがロックモードに設定されると、ステップＳ４９において、表示部１２０は、ロック画面を表示する。ステップＳ４９において表示されるロック画面には、認証失敗通知情報が含まれない。例えば、表示部１２０は、図６で示したロック画面４００を表示する。
【０１２０】
ステップＳ４９の後、制御部１００は、再度指紋検出待ち状態となる。ステップＳ５０において、指紋センサ２００が再度指紋を検出すると、ステップＳ５１が実行される。
【０１２１】
ステップＳ５１において、制御部１００は、ステップＳ５０での検出指紋に基づいて、再度ユーザ認証を行う。ステップＳ５１でのユーザ認証処理が終了すると、ステップＳ５２において、制御部１００は、ユーザ認証が成功したか否かを判定する。
【０１２２】
ステップＳ５２において、ユーザ認証が成功したと判定される場合には、ステップＳ４７において、制御部１００は、ロックモードを解除して、電子機器１の動作モードを非ロックモードに設定する。
【０１２３】
一方、ステップＳ５２において、ユーザ認証が失敗したと判定される場合には、ステップＳ５３が実行される。ステップＳ５３において、表示部１２０は、ロック画面に認証失敗通知情報を表示する。例えば、表示部１２０は、図９で示した認証失敗通知情報４１０を含むロック画面４００を表示する。このように、電子機器１の動作モードがロックモードであるときに行ったユーザ認証が失敗した場合には、認証失敗通知情報がロック画面に表示される。
【０１２４】
ステップＳ５３が実行された後、再度ステップ５０以降の処理が実行される。
【０１２５】
このように、スリープモードであるときに開始したユーザ認証が失敗した場合には、認証失敗情報を含まないロック画面が表示される。これにより、ユーザは、例えば、指紋が登録されていない指で電源ボタン１４ａを操作することによって、認証失敗情報を含まないロック画面を表示させることができる。したがって、時刻確認などのために、単にロック画面を表示させたい場合に、認証失敗通知情報を含まないロック画面を表示させることができることから、ロック画面を確認しやすくなる。
【０１２６】
＜第２変形例＞
本変形例では、制御部１００は、スリープ解除操作を検出する前にユーザ認証が失敗した場合に、ユーザ認証が失敗したことを通知する。図１２は、本変形例に係る電子機器１の動作の一例を示すフローチャートである。図１２では、電子機器１の動作モードがスリープモードであって、指紋センサ２００の検出モードが第２検出モードである場合での電子機器１の動作を示している。
【０１２７】
ステップＳ６１〜Ｓ６３，Ｓ６５〜Ｓ７３での処理は、図１０でのステップＳ２１〜Ｓ２３，Ｓ２５〜Ｓ３３での処理と同様であるので詳細な説明は省略する。
【０１２８】
ステップ６３においてユーザ認証が開始されると、ステップＳ６４が実行される。ステップＳ６４において、制御部１００は、スリープ解除操作を検出したか否かを判定する。ステップＳ６４において、スリープ解除操作を検出したと判定される場合には、ステップＳ６５以降の処理が実行される。
【０１２９】
一方、ステップＳ６４において、スリープ解除操作が検出されないと判定される場合には、ステップＳ７４が実行される。ステップＳ７４において、制御部１００は、ステップＳ６３で開始したユーザ認証の結果に基づいて、ユーザ認証が成功したか否かを判定する。
【０１３０】
ステップＳ７４において、ユーザ認証が成功したと判定されると、ステップＳ６４が再度実行される。ステップＳ７４でのユーザ認証結果は、記憶部１０３内に記憶される。
【０１３１】
一方、ステップＳ７４において、ユーザ認証が失敗したと判定されると、ステップＳ７５が実行される。ステップＳ７５において、制御部１００は、ユーザ認証が失敗したことを通知する。
【０１３２】
ステップＳ７５でのユーザ認証失敗の通知は、図１０に示されるステップＳ２９及びＳ３３での処理のようにユーザ認証失敗通知情報が表示領域２ａに表示されるのではなく、表示部１２０以外によって通知される。例えば、ユーザ認証失敗の通知は、外部スピーカから出力される音によって行われる。なお、電子機器１がＬＥＤなどによって構成される通知ランプを備えている場合には、通知ランプを発光させることによって、ユーザ認証失敗が通知されても良い。また、電子機器１が圧電振動素子、モータなどによって構成される振動部を備えている場合には、振動部が電子機器１を振動させることによって、ユーザ認証失敗が通知されても良い。
【０１３３】
このように、スリープ解除操作が検出される前にユーザ認証が失敗した場合に、ユーザ認証が失敗したことが通知されることから、ユーザは、スリープ解除操作を行う前であっても、ユーザ認証の結果を確認することができる。
【０１３４】
ステップＳ７５の後、制御部１００は、再度指紋検出待ち状態となり、ステップＳ６２が実行される。以後、電子機器１は同様に動作する。
【０１３５】
なお、ステップＳ７４においてユーザ認証が成功したと判定された後、スリープモードが解除された場合には、ステップＳ６６において再度、ユーザ認証が成功したか否かを判定せずに、ステップＳ６７が実行されてもよい。
【０１３６】
また、ステップＳ７５でのユーザ認証が失敗したことの通知は、ユーザ認証が成功するまで行われてよいし、ユーザ認証が成功する前に終了してもよい。例えば、ステップＳ７５でのユーザ認証が失敗したことの通知は、その後実行されるステップＳ６９においてユーザ認証失敗通知情報が表示領域２ａに表示されたときに終了しても良い。
【０１３７】
また、スリープ解除前のユーザ認証結果の通知は、ユーザ認証が成功したときに行われても良い。
【０１３８】
＜第３変形例＞
また上記の各例では、図７で示したステップＳ２〜Ｓ４において、肯定的な判定がなされた場合には、制御部１００は、指紋センサ２００の検出モードを第１検出モードに設定する。つまり、制御部１００は、ユーザ認証が行われる可能性が低いと考えられる場合には、指紋センサ２００の検出モードを第１検出モードに設定していたが、図７で示したステップＳ２〜Ｓ４での判定結果に関わらず、ユーザ認証が行われる可能性が高いと考えられるような場合には、指紋センサ２００の検出モードを第２検出モードに設定しても良い。
【０１３９】
例えば、電子機器１がスリープモードで動作しているときに着呼して、ユーザが当該着呼に応答しなかった場合には、その後ユーザが着呼を確認するためにユーザ認証を行う可能性が高いと考えられる。したがって、電子機器１の動作モードがスリープモードであるときに着呼してユーザが当該着呼に応答しなかった場合には、その後一定の時間の間は、制御部１００は、図７で示したステップＳ２〜Ｓ４での判定結果に関わらず、指紋センサ２００の検出モードを第２検出モードに設定しても良い。
【０１４０】
また、電子機器１がスリープモードで動作しているときにメールを受信して、ユーザが受信したメールを確認しなかった場合には、その後ユーザが受信したメールを確認するためにユーザ認証を行う可能性が高いと考えられる。したがって、電子機器１の動作モードがスリープモードであるときに受信したメールをユーザが確認しなかった場合には、その後一定の時間の間は、制御部１００は、図７で示したステップＳ２〜Ｓ４での判定結果に関わらず、指紋センサ２００の検出モードを第２検出モードに設定しても良い。
【０１４１】
このように、電子機器１がスリープモードで動作しているときに、ユーザ認証が行われる可能性が高いと考えられるような場合には、指紋センサ２００の検出モードが第２検出モードに設定されることから、ユーザ認証を開始するまでの時間を短くすることができる。
【０１４２】
また上記の各例では、指紋センサ２００の指紋検出領域２０１は、電源ボタン１４ａの操作領域１４１に含まれていたが、指紋センサ２００の指紋検出領域２０１は、電源ボタン１４ａ以外の操作ボタンの操作領域に含まれていても良い。例えば、指紋センサ２００の指紋検出領域２０１は、スリープ解除操作のための操作ボタンとして機能するホームボタン１４ｃの操作領域に含まれていても良い。また、指紋センサ２００の指紋検出領域２０１は、スリープ解除操作のための操作ボタンとして機能しない操作ボタンの操作領域に含まれても良いし、操作ボタンの操作領域以外の領域、例えば、機器ケース３の表面に設けられても良い。
【０１４３】
また上記の各例では、スリープ解除操作前にユーザ認証処理が完了した場合でも、スリープ解除操作が検出されるまでスリープモードが解除されなかったが、ユーザ認証処理が完了した場合には、スリープ解除操作が検出される前であってもスリープモードを解除しても良い。これにより、ユーザは、指紋センサ２００の指紋検出領域２０１を指で触れるだけでスリープモードを解除することができる。
【０１４４】
また、上記の各例では、本開示の技術をスマートフォン等の携帯電話機に適用する場合を例にあげて説明したが、本開示の技術は、指紋センサを備える他の電子機器にも適用することができる。例えば、本開示の技術は、パーソナルコンピュータ、タブレット端末あるいは腕などに装着するウェアラブルタイプの電子機器等にも適用することができる。
【０１４５】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１４６】
１  電子機器
１４ａ  電源ボタン
１００  制御部
１２０  表示部
１４１  操作領域
２００  指紋センサ
２０１  指紋検出領域
２１０  加速度センサ
２２０  計時部
２３０  歩数計測部
【図１】
2018014111.tif 000003
【図２】
2018014111.tif 000004
【図３】
2018014111.tif 000005
【図４】
2018014111.tif 000006
【図５】
2018014111.tif 000007
【図６】
2018014111.tif 000008
【図７】
2018014111.tif 000009
【図８】
2018014111.tif 000010
【図９】
2018014111.tif 000011
【図１０】
2018014111.tif 000012
【図１１】
2018014111.tif 000013
【図１２】
2018014111.tif 000014
【手続補正書】
【提出日】平成29年9月26日(2017.9.26)
【手続補正１】
【補正対象書類名】特許請求の範囲
【補正対象項目名】請求項１
【補正方法】変更
【補正の内容】
【請求項１】
電子機器であって、
表示部と、
指紋センサを含む操作ボタンと、
制御部と
を備え、
前記制御部は、
スリープモードにおいて、前記指紋センサの検出モードを、指の指紋を検出しない第１検出モードに設定し、
前記操作ボタンが押されると、前記スリープモードを解除して前記表示部にロック画面を表示するとともに前記指紋センサの検出モードを前記第１検出モードから、指の指紋を検出する第２検出モードに変更し、
前記操作ボタンが押された後の前記表示部での前記ロック画面の表示中において、前記操作ボタンが押されたことのみを契機として指紋検出待ち状態となり、
前記指紋検出待ち状態において、前記操作ボタンが押されなくても前記指紋センサが触れられると、当該指紋センサで検出される指紋に基づいてユーザ認証を実行し、
前記ユーザ認証が成功すると、前記ロック画面以外の画面を前記表示部に表示する、電子機器。
【手続補正２】
【補正対象書類名】明細書
【補正対象項目名】０００６
【補正方法】変更
【補正の内容】
【０００６】
電子機器が開示される。一の実施の形態では、電子機器は、表示部と、指紋センサを含む操作ボタンと、制御部とを備える。制御部は、スリープモードにおいて、指紋センサの検出モードを、指の指紋を検出しない第１検出モードに設定する。制御部は、操作ボタンが押されると、スリープモードを解除して表示部にロック画面を表示するとともに指紋センサの検出モードを第１検出モードから、指の指紋を検出する第２検出モードに変更する。制御部は、操作ボタンが押された後の表示部でのロック画面の表示中において、操作ボタンが押されたことのみを契機として指紋検出待ち状態となる。制御部は、指紋検出待ち状態において、操作ボタンが押されなくても指紋センサが触れられると、当該指紋センサで検出される指紋に基づいてユーザ認証を実行する。制御部は、ユーザ認証が成功すると、ロック画面以外の画面を表示部に表示する。